(57)【特許請求の範囲】
【請求項１】
試験対象物に入力するデジタルの試験用信号にエンファシスをかけるためのエンファシス付加装置（１）において、
プリエンファシスモードとディエンファシスモードとを、選択操作により切り替える切替部（４）と、
前記切替部により切り替えられたプリエンファシスモード又はディエンファシスモードにおいて、使用される通信規格に応じたアイ振幅、設定画面上のプリエンファシス波形イメージ又はディエンファシス波形イメージにおける各カーソルの数値情報を設定値として入力する操作部（２）と、
前記切替部により切り替えられたプリエンファシスモード又はディエンファシスモードにおいて、前記操作部から入力された設定値、予め決められた前記通信規格毎の複数種類の基準波形パターンにおける波形形状を特定する係数に基づき、前記使用される通信規格の基準となる振幅電圧値に対して増減される前記各カーソルの振幅量を算出する設定値算出部（７）と、
前記設定値算出部が算出した振幅量に基づくプリエンファシス波形又はディエンファシス波形を生成して前記試験用信号に付加するエンファシス波形付加部（８）とを備えたことを特徴とするエンファシス付加装置。
【請求項２】
試験対象物に入力するデジタルの試験用信号にエンファシスをかけるためのエンファシス付加方法において、
プリエンファシスモードとディエンファシスモードとを、選択操作により切り替えるステップと、
前記切り替えられたプリエンファシスモード又はディエンファシスモードにおいて、使用される通信規格に応じたアイ振幅、設定画面上のプリエンファシス波形イメージ又はディエンファシス波形イメージにおける各カーソルの数値情報を設定値として入力するステップと、
前記切り替えられたプリエンファシスモード又はディエンファシスモードにおいて、前記設定値、予め決められた前記通信規格毎の複数種類の基準波形パターンにおける波形形状を特定する係数に基づき、前記使用される通信規格の基準となる振幅電圧値に対して増減される前記各カーソルの振幅量を算出するステップと、
前記算出した振幅量に基づくプリエンファシス波形又はディエンファシス波形を生成して前記試験用信号に付加するステップとを含むことを特徴とするエンファシス付加方法。
【発明の詳細な説明】
【技術分野】
【０００１】
本発明は、試験対象物（ＤＵＴ：device under test ）に入力される元信号の試験用信号に対し、使用されるコンピュータバス・相互接続規格に応じたエンファシスを付加するエンファシス付加装置及びエンファシス付加方法に関する。
【背景技術】
【０００２】
送信側で送信する信号の特定の周波数成分を強調することにより、伝送路で減衰しやすい周波数を補償して伝送路で起こる信号の減衰を最小限に抑え、受信側で受信する信号の品質を改善する伝送技術としてエンファシスが従来より知られている。
【０００３】
このエンファシスには、エンファシスを加えていないデータ信号のアイ振幅に対し、ｘｄＢの分だけ強調するプリエンファシスの考え方と、ｘｄＢの分だけ小さくするディエンファシスの考え方の２つの考え方とがある。
【０００４】
これらプリエンファシスの考え方とディエンファシスの考え方は、装置内部や装置と試験対象物との間のコンピュータバス・相互接続規格（通信規格）に応じて何れか一方又は両方の考え方が採用されることになる。具体的には、Ｉｎｆｉｎｉｂａｎｄ等ではプリエンファシスの考え方が採用され、ＰＣＩ  Ｅｘｐｒｅｓｓ（登録商標），ＳＡＴＡ，ＵＳＢ等ではディエンファシスの考え方が採用される。また、Ｘｉｌｉｎｘ社のＶｉｒｔｅｘ（登録商標）では、ＩｎｆｉｎｉｂａｎｄやＰＣＩ  Ｅｘｐｒｅｓｓ（登録商標）を含む多種の規格に対応しており、プリエンファシスとディエンファシスの両方の考え方が採用される。
【０００５】
ところで、プリエンファシスの考え方を採用した装置としては、下記特許文献１に開示されるエンファシス付加装置が知られている。このエンファシス付加装置では、横軸を時間、縦軸を変調量としてプリエンファシス波形イメージを表示画面上に表示させ、このプリエンファシス波形イメージにおいてビットを強調させることが可能な箇所のタップにカーソルを配置し、このカーソルの移動に応じて可変される振幅量に基づいて表示画面上のプリエンファシス波形イメージと同一のエンファシス波形を生成して元信号に付加している。尚、特に文献を示してはいないが、ディエンファシスの考え方を採用した装置も周知である。
【先行技術文献】
【特許文献】
【０００６】
【特許文献１】特開２０１２−０６０６３０号公報
【発明の概要】
【発明が解決しようとする課題】
【０００７】
しかしながら、従来のエンファシス付加装置では、上述した特許文献１のプリエンファシスの考え方、又はディエンファシスの考え方の何れか一方を採用した装置が一般的であった。
【０００８】
このため、プリエンファシスの考え方を採用したエンファシス付加装置において、ディエンファシス波形の設定を行った場合、ユーザが操作入力した値に基づいてプリエンファシスの考え方のまま振幅量を算出するため、誤った振幅量でプリエンファシス波形が生成されてしまい、試験対象物の正確な試験を行うことができないという問題があった。しかも、誤って高振幅に設定されたエンファシス波形が出力されると、耐電圧が低い被測定デバイスを試験対象物とした場合には、デバイス自身が破損する恐れもあった。このため、正しい設定を行うためには、ユーザがディエンファシスの考え方に基づいて操作入力する値を計算し直す必要があり、この面倒な計算作業がユーザの負担になっていた。
【０００９】
また、ディエンファシスの考え方を採用したエンファシス付加装置において、プリエンファシス波形の設定を行う場合でも、上述した同様の問題が生じる。
【００１０】
このため、１台のエンファシス付加装置において、プリエンファシスとディエンファシスの両方の考え方を取り込み、通信規格に応じてプリエンファシス波形やディエンファシス波形の設定を切り替える機能を備えた装置の提供が望まれていた。
【００１１】
そこで、本発明は上記問題点に鑑みてなされたものであって、使用される通信規格に応じた最適なエンファシス波形を試験用信号に付加して出力することができるエンファシス付加装置及びエンファシス付加方法を提供することを目的としている。
【課題を解決するための手段】
【００１２】
上記目的を達成するため、本発明の請求項１に記載されたエンファシス付加装置は、試験対象物に入力するデジタルの試験用信号にエンファシスをかけるためのエンファシス付加装置１において、
プリエンファシスモードとディエンファシスモードとを、選択操作により切り替える切替部４と、
前記切替部により切り替えられたプリエンファシスモード又はディエンファシスモードにおいて、使用される通信規格に応じたアイ振幅、設定画面上のプリエンファシス波形イメージ又はディエンファシス波形イメージにおける各カーソルの数値情報を設定値として入力する操作部２と、
前記切替部により切り替えられたプリエンファシスモード又はディエンファシスモードにおいて、前記操作部から入力された設定値、予め決められた前記通信規格毎の複数種類の基準波形パターンにおける波形形状を特定する係数に基づき、前記使用される通信規格の基準となる振幅電圧値に対して増減される前記各カーソルの振幅量を算出する設定値算出部７と、
前記設定値算出部が算出した振幅量に基づくプリエンファシス波形又はディエンファシス波形を生成して前記試験用信号に付加するエンファシス波形付加部８とを備えたことを特徴とする。
【００１３】
請求項２に記載されたエンファシス付加方法は、試験対象物に入力するデジタルの試験用信号にエンファシスをかけるためのエンファシス付加方法において、
プリエンファシスモードとディエンファシスモードとを、選択操作により切り替えるステップと、
前記切り替えられたプリエンファシスモード又はディエンファシスモードにおいて、使用される通信規格に応じたアイ振幅、設定画面上のプリエンファシス波形イメージ又はディエンファシス波形イメージにおける各カーソルの数値情報を設定値として入力するステップと、
前記切り替えられたプリエンファシスモード又はディエンファシスモードにおいて、前記設定値、予め決められた前記通信規格毎の複数種類の基準波形パターンにおける波形形状を特定する係数に基づき、前記使用される通信規格の基準となる振幅電圧値に対して増減される前記各カーソルの振幅量を算出するステップと、
前記算出した振幅量に基づくプリエンファシス波形又はディエンファシス波形を生成して前記試験用信号に付加するステップとを含むことを特徴とする。
【発明の効果】
【００１４】
本発明によれば、ユーザによる切替部の切替操作のみにより、通信規格に応じてプリエンファシスモード又はディエンファシスモードに切り替え、プリエンファシス波形の設定やディエンファシス波形の設定を適宜行うことができる。これにより、試験対象物の通信規格に応じた最適なエンファシス波形を試験用信号に付加して出力することができ、試験対象物の各種試験を効率的に行うことができる。
【図面の簡単な説明】
【００１５】
【図１】本発明に係るエンファシス付加装置のブロック構成図である。
【図２】（ａ）プリエンファシスモードにおけるプリエンファシス波形イメージと主要な設定項目の表示例を示す図である。  （ｂ）ディエンファシスモードにおけるディエンファシス波形イメージと主要な設定項目の表示例を示す図である。
【図３】本発明に係るエンファシス付加装置のエンファシス波形付加部の具体的な回路構成の一例を示す図である。
【図４】Ｉｎｆｉｎｉｂａｎｄ  Ａｒｃｈｉｔｅｃｔｕｒｅ  Ｓｐｃｉｆｉｃａｔｉｏｎ  Ｖｏｌｕｍｅ２から抜粋したＴａｂｌｅ  ４８  Ｔｘ  ＦＩＲ  Ｆｉｌｔｅｒ  Ｃｏｅｆｆｉｃａｔｉｎ  ａｎｄ  Ａｍｐｌｉｔｕｄｅｓの一覧を示す図である。
【図５】図４における各Ｐｒｅｓｅｔ毎のＰｏｓｔとＰｒｅのｄＢ値及び振幅電圧値を示す図である。
【図６】ＰＣＩ  Ｅｘｐｒｅｓｓ（登録商標）  Ｂａｓｅ  Ｓｐｅｃｉｆｉｃａｔｉｏｎ  Ｒｅｖｉｓｉｏｎ３．０から抜粋したＴａｂｌｅ  ４−１６：Ｔｘ  Ｐｒｅｓｅｔ  Ｒａｔｉｏｓ  ａｎｄ  Ｃｏｒｒｅｓｐｏｎｄｉｎｇ  Ｃｏｅｆｆｉｃｉｅｎｔ  Ｖａｌｕｅｓの一覧を示す図である。
【発明を実施するための形態】
【００１６】
以下、本発明を実施するための形態について、添付した図面（図１〜図６）を参照しながら詳細に説明する。
【００１７】
本発明に係るエンファシス付加装置及びエンファシス付加方法は、例えばインターコネクト系の規格に準拠した測定系を構築する際に採用され、試験対象物（ＤＵＴ）に入力される試験用信号（元信号）に対し、使用される通信規格に応じたエンファシス波形（プリエンファシス波形又はディエンファシス波形）を付加するものである。
【００１８】
尚、本発明における通信規格とは、例えばＩｎｆｉｎｉｂａｎｄ，ＰＣＩ  Ｅｘｐｒｅｓｓ（登録商標），ＳＡＴＡ，ＵＳＢ等のように、装置内部や装置と試験対象物との間に使用されるコンピュータバス・相互接続規格を意味するものである。
【００１９】
・エンファシス付加装置の全体構成
図１に示すように、エンファシス付加装置１は、予め決められた所定パターンの試験用信号（元信号）に対し、通信規格に最適なエンファシス波形（プリエンファシス波形又はディエンファシス波形）を付加するため、操作部２、情報記憶部３、切替部４、表示部５、表示制御部６、設定値算出部７、エンファシス波形付加部８を備えて概略構成されている。
【００２０】
操作部２は、例えばユーザが操作するソフトキーやスイッチ等で構成される。操作部２は、例えばＢＥＲ(Bit Error Rate)試験やジッタトレランス試験などの各種試験を行うための試験用信号に対してエンファシス波形を付加して出力する際に必要な各種情報の入力操作や各種設定を行っている。特に、本例では、通信規格に最適なエンファシス波形を設定するにあたって、操作部２の操作及び切替部４の切替により、プリエンファシスモード又はディエンファシスモードの切替選択操作、切替選択されたモードにおけるテキストボックス９の数値入力エリアへのパラメータの数値入力などを行っている。
【００２１】
ここで、プリエンファシスモードとは、操作部２から入力されるアイ振幅（Ｅｙｅ  Ａｍｐｌｉｔｕｄｅ：振幅電圧値）、カーソル１（Ｃｕｒｓｏｒ１）、カーソル２（Ｃｕｒｓｏｒ２）の各値と情報記憶部３の情報に基づき、設定値算出部７がプリエンファシスの考え方により複数のカーソル（カーソル１、カーソル２）の振幅量を計算により算出するモードである。
【００２２】
また、ディエンファシスモードとは、操作部２から入力されるアイ振幅、カーソル１、カーソル２の各値と情報記憶部３の情報に基づき、設定値算出部７がディエンファシスの考え方により複数のカーソル（カーソル１、カーソル２）の振幅量を計算により算出するモードである。
【００２３】
尚、表示部５の設定画面上に表示される図２（ａ）のプリエンファシス波形イメージや図２（ｂ）のディエンファシス波形イメージにおいて、振幅量の増減によりビットを強調させることができる箇所をタップと称し、この各箇所のタップにカーソル（Ｃｕｒｓｏｒ１、Ｃｕｒｓｏｒ２）が配置される。
【００２４】
情報記憶部３は、元信号となる試験用信号に対し、プリエンファシス波形又はディエンファシス波形を付加して出力するために必要な各種情報を記憶している。この各種情報としては、予め決められた通信規格毎の複数種類の基準波形パターン（２ｐｏｓｔ−ｃｕｒｓｏｒ、１ｐｒｅ−ｃｕｒｓｏｒ，３ｐｏｓｔ−ｃｕｒｓｏｒ，１ｐｏｓｔ−ｃｕｒｓｏｒ、１ｐｒｅ−ｃｕｒｓｏｒ，２ｐｏｓｔ−ｃｕｒｓｏｒ，１ｐｏｓｔ−ｃｕｒｓｏｒ等）の波形情報（波形形状を特定する各パラメータ値）、表示部４の表示画面の１ドット当たりの振幅量や１ドット当たりの時間などがある。
【００２５】
切替部４は、図２（ａ），（ｂ）に示すように、例えば表示部５の設定画面上に表示される「Ｐｒｅ−Ｅｍｐｈａｓｉｓ」、「Ｄｅ−Ｅｍｐｈａｓｉｓ」のソフトキーからなるモード切替キーで構成される。切替部４は、押動操作する都度、設定画面をプリエンファシスモードからディエンファシスモード、又はディエンファシスモードからプリエンファシスモードに切り替える。尚、切替部４は、表示部５の設定画面上に表示されるソフトキーに限らず、操作部２の一部や装置本体や別途設けられる機械的なスイッチやボタンなどで構成することもできる。
【００２６】
表示部５は、例えば液晶表示器で構成され、操作部２の操作に基づく表示制御部６の制御により、各種設定画面の表示を行っている。この表示部５に設定画面（図２（ａ），（ｂ）参照）が表示された状態では、切替部４にて切替選択されたプリエンファシスモード又はディエンファシスモードにより通信規格に応じた設定が行われる。
【００２７】
表示制御部６は、操作部２の入力操作、切替部４の切替操作、情報記憶部３の各種情報に基づいて表示部５の表示を制御している。
【００２８】
尚、図１の例では、操作部２、表示部５、表示制御部６を機能分けして別々のブロックで示したが、これらをコンピュータグラフィックスとマウスなどのポインティングデバイスを用いた直感的な操作により各種の操作・設定が行える機能を有するＧＵＩ（graphical user interface）で構成することもできる。
【００２９】
設定値算出部７は、切替部４の切替操作によりプリエンファシスモード又はディエンファシスモードが選択されると、操作部２の操作により図２（ａ），（ｂ）の設定画面上におけるテキストボックス９の各設定項目（ＥＡ，Ｃ１，Ｃ２）の数値入力エリアに数値入力される通信規格に応じたアイ振幅、カーソル１、カーソル２の各数値情報と、情報記憶部３の各種情報とに基づき、アイ振幅に対する振幅量を計算により算出している。そして、設定値算出部７は、エンファシス波形付加部８が表示画面上のプリエンファシス波形イメージ又はディエンファシス波形イメージと同一のエンファシス波形を試験用信号に付加するように、計算により算出された振幅量を、後述する切替回路１３の各セレクタＰ１，Ｐ２，Ｐ３，Ｐ４に対応して振幅電圧（ＶＥＥ１，ＶＥＥ２，ＶＥＥ３，ＶＥＥ４）に振り分け、この振り分けた振幅電圧（ＶＥＥ１，ＶＥＥ２，ＶＥＥ３，ＶＥＥ４）を設定値として出力している。
【００３０】
エンファシス波形付加部８は、設定値算出部７から出力される設定値に基づき、プリエンファシスモードで設定されたプリエンファシス波形イメージ又はディエンファシスモードで設定されたディエンファシス波形イメージと同じエンファシス波形を試験用信号（エンファシス付加前の元信号）に付加して出力している。
【００３１】
さらに説明すると、エンファシス波形付加部８は、特開２０１２−６０６３０号公報と同様に、図３の制御回路１１、データ保持回路１２、切替回路１３、増幅回路１４、加算回路１５を備えた周知の回路によって構成することができる。
【００３２】
制御回路１１は、Ｄ／Ａコンバータを含む回路であり、設定値算出部７からの設定値（振幅電圧：ＶＥＥ１，ＶＥＥ２，ＶＥＥ３，ＶＥＥ４）を、増幅回路１４の後述する各増幅器１４ａ，１４ｂ，１４ｃ，１４ｄを個別に制御するためのアナログ値からなる制御信号（４つの制御電圧）に変換して出力している。
【００３３】
データ保持回路１２は、Ｃ（クロック）端子の立ち上がりのエッジでＤ端子の入力の値がＱ出力として保持される４つのＤ型フリップフロップ回路（以下、Ｄ−ＦＦと略称する）１２ａ，１２ｂ，１２ｃ，１２ｄを直列接続して構成される。データ保持回路１２は、初段のＤ−ＦＦ１２ａのＤ端子にエンファシス波形を付加する前の元信号（試験用信号），１２ｃ，１２ｄが入力され、位相が１ビットずれとなるデータ信号に分岐して各Ｄ−ＦＦ１２ａ，１２ｂ，１２ｃ，１２ｄのＱ端子から出力している。
【００３４】
切替回路１３は、データ保持回路１２の４つのＤ−ＦＦ１２ａ，１２ｂ，１２ｃ，１２ｄのＱ端子と１対１に対応して接続される４つのセレクタＰ１，Ｐ２，Ｐ３，Ｐ４で構成される。切替回路１３の各セレクタＰ１，Ｐ２，Ｐ３，Ｐ４は、切替信号の入力により、極性が「ＰＯＳ（ポジティブ）」又は「ＮＥＧ（ネガティブ）」の何れかの状態に予め設定されている。
【００３５】
増幅回路１４は、切替回路１３の４つのセレクタＰ１，Ｐ２，Ｐ３，Ｐ４の出力と１対１に対応して接続される４つの増幅器１４ａ，１４ｂ，１４ｃ，１４ｄで構成される。これら４つの増幅器１４ａ，１４ｂ，１４ｃ，１４ｄは、制御回路１１からの制御信号（制御電圧）によって個別に電圧が制御される。
【００３６】
加算回路１５は、増幅回路１４の４つの増幅器１４ａ，１４ｂ，１４ｃ，１４ｄの出力を加算し、元信号である試験用信号にエンファシス波形を付加した信号（差動データ信号）を出力している。
【００３７】
尚、エンファシス波形付加部８は、情報記憶部３の各種情報、設定値算出部７で算出された設定値に基づき、切替部４にて切替選択されたモード（プリエンファシスモード又はディエンファシスモード）におけるエンファシス波形イメージと同じエンファシス波形を試験用信号に付加できる構成であれば、図３の回路構成に限定されるものではない。
【００３８】
次に、上記のように構成されるエンファシス付加装置１の動作について、プリエンファシスモードとディエンファシスモードに場合分けして説明する。
【００３９】
・プリエンファシスモード
プリエンファシスモードの一例として、Ｉｎｆｉｎｉｂａｎｄ  Ａｒｃｈｉｔｅｃｔｕｒｅ  Ｓｐｅｃｉｆｉｃａｔｉｏｎ  Ｖｏｌｕｍｅ２から抜粋した図４のＴａｂｌｅ  ４８  Ｔｘ  ＦＩＲ  Ｆｉｌｔｅｒ  Ｃｏｅｆｆｉｃａｔｉｎ  ａｎｄ  ＡｍｐｌｉｔｕｄｅｓのＰｒｅｓｅｔ：３におけるプリエンファシス波形を設定する場合を例にとって説明する。
【００４０】
まず、図２（ａ）の「Ｐｒｅ−Ｅｍｐｈａｓｉｓ」と記されたモード切替キーからなる切替部５を押動操作し、プリエンファシスモードに切替設定する。
【００４１】
次に、設定値算出部７は、プリエンファシスモードに切替設定されると、図４の太枠で囲まれたＰｒｅｓｅｔ：３のＰｏｓｔｃｕｒｓｏｒ  ｒａｔｉｏの値「１．２７」とＰｒｅｃｕｒｓｏｒ  ｒａｔｉｏの値「１．０７」をｄＢ換算し、図５の太枠で囲まれたＰｒｅｓｅｔ：３のＴｘＰｏｓｔの値「２．０８」とＴｘＰｒｅの値「０．６８」を算出する。
【００４２】
次に、アイ振幅の値ＥＡ：「０．４０」、ｄＢ換算したＴｘＰｏｓｔの値「２．０８」をカーソル１の値：Ｃ１、ＴｘＰｒｅの値「０．６８」をカーソル２の値：Ｃ２として、操作部２の操作により図２（ａ）の該当するテキストボックス９の数値入力エリアにそれぞれ数値入力する。
【００４３】
次に、設定値算出部７は、テキストボックス９に入力された各数値ＥＡ：０．４０，Ｃ１：２．０８，Ｃ２：０．６８を用い、アイ振幅の値ＥＡ：０．４０を加味したカーソル１のｄＢ値：αとカーソル２のｄＢ値：βを下記式（１）、（３）の計算式によりそれぞれ算出する。
【００４４】
次に、設定値算出部７は、式（１）、（３）の計算式から得たカーソル１のｄＢ値：αとカーソル２のｄＢ値：βを用い、下記式（２）、（４）の計算式によりカーソル１のＶｐ−ｐ値：α’とカーソル２のＶｐ−ｐ値：β’をそれぞれ算出する。
【００４５】
２０＊ＬＯＧ10（ＥＡ）＋Ｃ１＝α…式（１）
【００４６】
１０＾（（α）／２０）＝α’…式（２）
【００４７】
２０＊ＬＯＧ10（ＥＡ）＋Ｃ２＝β…式（３）
【００４８】
１０＾（（β）／２０）＝β’…式（４）
【００４９】
そして、エンファシス波形付加部８は、アイ振幅の値ＥＡ：０．４０Ｖと、上述した計算式により算出したカーソル１のＶｐ−ｐ値：α’＝５０８ｍＶとカーソル２のＶｐ−ｐ値：β’＝４３２（図５の太枠で囲まれたＰｒｅｓｅｔ：３のＰｏｓｔとＰｒｅの振幅電圧）に基づいて設定されるプリエンファシス波形イメージと同じプリエンファシス波形を試験用信号に付加して出力する。
【００５０】
・ディエンファシスモード
ディエンファシスモードの一例として、ＰＣＩ  Ｅｘｐｒｅｓｓ（登録商標）  Ｂａｓｅ  Ｓｐｅｃｉｆｉｃａｔｉｏｎ  Ｒｅｖｉｓｉｏｎ３．０から抜粋した図６のＴａｂｌｅ  ４−１６：Ｔｘ  Ｐｒｅｓｅｔ  Ｒａｔｉｏｓ  ａｎｄ  Ｃｏｒｒｅｓｐｏｎｄｉｎｇ  Ｃｏｅｆｆｉｃｉｅｎｔ  ＶａｌｕｅｓのＰｒｅｓｅｔ  ｎｕｍｂｅｒ：Ｐ７におけるディエンファシス波形を設定する場合を例にとって説明する。
【００５１】
まず、図２（ａ）の「Ｄｅ−Ｅｍｐｈａｓｉｓ」と記されたモード切替キーからなる切替部５を押動操作し、ディエンファシスモードに切替設定する。
【００５２】
次に、ディエンファシスモードに切替設定された状態で、アイ振幅の値ＥＡ：「０．８０」、図６の太枠で囲まれたＰｒｅｓｅｔｎｕｍｂｅｒ：Ｐ７のＰｏｓｔの値「−６」をカーソル１の値：Ｃ１、Ｐｒｅの値「３．５」をカーソル２の値：Ｃ２として、操作部２の操作により図２（ｂ）の該当するテキストボックス９の数値入力エリアにそれぞれ数値入力する。
【００５３】
次に、設定値算出部７は、テキストボックス９に入力された各数値ＥＡ：０．８０，Ｃ１：−６，Ｃ２：３．５を用いてカーソル１のｄＢ値：αとカーソル２のｄＢ値：βを下記式（５）、（６）の計算式によりそれぞれ電圧比に変換する。
【００５４】
次に、設定値算出部７は、式（５）、（６）の計算式から得たカーソル１のｄＢ値：αとカーソル２のｄＢ値：βを用い、ディエンファシス波形イメージの各部振幅電圧Ｖａ，Ｖｂ，Ｖｃの値を下記式（７）、（８）、（９）の計算式によりそれぞれ算出する。
【００５５】
１０＾（（Ｃ１）／２０）＝α…式（５）
【００５６】
１０＾（（Ｃ２）／２０）＝β…式（６）
【００５７】
Ｖａ＝（ＥＡ）／（１−α＋α＊β）…式（７）
【００５８】
Ｖｂ＝（ＥＡ＊β）／（１−α＋α＊β）…式（８）
【００５９】
Ｖｃ＝（ＥＡ＊α＊β）／（１−α＋α＊β）…式（９）
【００６０】
尚、ディエンファシスの考え方では、（１）カーソル１＝０［ｄＢ］、カーソル２＞０［ｄＢ］の場合は、Ｖｃ＝ＥＡ、（２）カーソル１＜０［ｄＢ］、カーソル２＝０［ｄＢ］の場合は、Ｖａ＝ＥＡ、（３）カーソル１＜０［ｄＢ］、カーソル２＞０［ｄＢ］の場合は、Ｖａ＜ＥＡ、Ｖｃ＜ＥＡとなる。
【００６１】
そして、エンファシス波形付加部８は、アイ振幅の値ＥＡ：０．８０Ｖと、上述した計算式により算出したカーソル１の振幅電圧Ｖａ：０．６４１とカーソル２の振幅電圧Ｖｃ：０．４８０に基づいて設定されるディエンファシス波形イメージと同じディエンファシス波形を試験用信号に付加して出力する。
【００６２】
このように、本例のエンファシス付加装置及び方法では、プリエンファシス波形の設定とディエンファシス波形の設定とを、試験対象物の試験中であってもユーザの手動操作による切替部４の切替操作のみで通信規格に応じてプリエンファシスモード又はディエンファシスモードに適宜モードを切り替えることができる。これにより、試験対象物の通信規格に応じた最適なエンファシス波形を試験用信号に付加して出力することができ、例えば信頼性の高いＢＥＲ試験やジッタトレランス試験などの各種試験を効率的に行うことができる。また、例えばＸｉｌｉｎｘ社のＶｉｒｔｅｘ（登録商標）のように、ＩｎｆｉｎｉｂａｎｄやＰＣＩ  Ｅｘｐｒｅｓｓ（登録商標）を含む多種の規格に対応し、試験中でも動的に規格を変更する機能を有する試験にも対応することができる。
【００６３】
以上、本発明に係るエンファシス付加装置及びエンファシス付加方法の最良の形態について説明したが、この形態による記述及び図面により本発明が限定されることはない。すなわち、この形態に基づいて当業者等によりなされる他の形態、実施例及び運用技術などはすべて本発明の範疇に含まれることは勿論である。
【符号の説明】
【００６４】
１  エンファシス付加装置
２  操作部
３  情報記憶部
４  切替部
５  表示部
６  表示制御部
７  設定値算出部
８  エンファシス波形付加部
９  テキストボックス
１１  制御回路
１２  データ保持回路
１３  切替回路
１４  増幅回路
１５  加算回路
【図１】
0005844791.tif 000002
【図２】
0005844791.tif 000003
【図３】
0005844791.tif 000004
【図４】
0005844791.tif 000005
【図５】
0005844791.tif 000006
【図６】
0005844791.tif 000007